(57)【特許請求の範囲】
【請求項１】
光源と、
前記光源の光を利用して表示を行う表示パネルと、
前記表示パネルに対してその表示面側とは反対側に重なるようにして配され、端面が前記光源と対向して配されるとともに、前記光源からの光を前記表示パネル側に導光する導光板であって、その端面に切り欠きが設けられた導光板と、
前記導光板に対して前記表示パネル側と反対側に配されたシャーシと、
前記表示パネルの前記表示面側に配され、前記シャーシとの間で前記表示パネルと前記光源と前記導光板とを挟み込む形で収容するフレームと、
前記フレームに取り付けられ、前記切り欠き内に収容されて該切り欠きと嵌合されることで前記フレームと前記シャーシとの間で前記導光板を位置決めする位置決め部材と、
前記位置決め部材と前記切り欠きとの間の隙間に配され、その一部が前記位置決め部材と共に前記フレームに取り付けられるとともに、前記光源からの光を遮光する遮光部材と、
を備える表示装置。
【請求項２】
前記位置決め部材は少なくともその一部が弾性変形可能とされている、請求項１に記載の表示装置。
【請求項３】
前記遮光部材は中空とされるとともに、その筒軸が前記導光板の厚み方向に沿ったものとされた筒状をなしている、請求項２に記載の表示装置。
【請求項４】
前記遮光部材は、その筒軸の肉厚が０．２ｍｍとされている請求項３に記載の表示装置。
【請求項５】
前記遮光部材は、プラスチックによりなる、請求項３又は請求項４に記載の表示装置。
【請求項６】
前記プラスチックは、ポリカーボネイトである、請求項５に記載の表示装置。
【請求項７】
前記遮光部材は、前記切り欠きと当接する部位が曲面とされている、請求項２に記載の表示装置。
【請求項８】
前記遮光部材は、少なくとも前記曲面とされた部位が板ばねとされている、請求項７に記載の表示装置。
【請求項９】
前記遮光部材が前記切り欠きと前記位置決め部材との両者と当接している、請求項１から請求項８のいずれか１項に記載の表示装置。
【請求項１０】
前記遮光部材が黒色とされている、請求項１から請求項９のいずれか１項に記載の表示装置。
【請求項１１】
前記遮光部材は、ビス留めによって前記位置決め部材と共に前記フレームに取り付けられている、請求項１から請求項１０のいずれか１項に記載の表示装置。
【請求項１２】
前記表示パネルが液晶を用いた液晶パネルである、請求項１から請求項１１のいずれか１項に記載の表示装置。
【請求項１３】
請求項１から請求項１２のいずれか１項に記載の表示装置を備える、テレビ受信装置。
【発明の詳細な説明】
【技術分野】
【０００１】
本発明は、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、導光板の側面に入光面が設けられ、導光板の側面側にＬＥＤ等の光源が配されたエッジライト型のバックライト装置が知られている。
【０００３】
エッジライト型のバックライト装置において、筺体の一部に位置決め部材を設けるとともに導光板の端面に切り欠きを設け、位置決め部材を切り欠きに嵌合させることで、筺体内において導光板が位置決めされた構成が知られている。しかしながら、このようなバックライト装置を備える液晶表示装置では、導光板内を導光する光が切り欠きから漏れて表示面側へ向かうことで液晶表示装置としての視認性が低下することがあった。
【０００４】
さらに、近年製造コストの削減やさらなる薄型化などの要請から、液晶表示ユニットの外観部品である合成樹脂製のキャビネットを廃止することが検討されているが、キャビネットを備えない液晶表示装置では、導光板の切り欠きから漏れた光が液晶パネルの端面に入光する場合があり、このような場合、液晶パネルの表示面において過度に明るく表示される部分（輝点）が生じることがあった。
【０００５】
特許文献１に、導光板端面の位置決め部から漏れた光によって表示面に輝点が生じることを防止することができる表示装置が開示されている。このバックライト装置では、導光板と表示面との間に配される光学シートの外縁に延長部分が設けられており、その延長部分を位置決め部と重畳するように延在させることで、当該延長部分によって位置決め部から漏れる光を遮光する構成とされている。
【先行技術文献】
【特許文献】
【０００６】
【特許文献１】特開２００８−１５９４５２号公報
【発明の概要】
【発明が解決しようとする課題】
【０００７】
しかしながら、上記した特許文献１の表示装置では、光学シートの一部に延長部分を設けるため、温度変化等によって当該延長部分が撓む虞があり、光を遮光する機能が低下する虞がある。このため、十分な信頼性を確保することができない。
【０００８】
本明細書で開示される技術は、上記の課題に鑑みて創作されたものである。本明細書では、キャビネットを備えないタイプの表示装置において、導光板の位置決め構成を実現しながら、導光板内を導光する光が表示パネル側へ漏れることを防止ないし抑制することができる技術を提供することを目的とする。
【課題を解決するための手段】
【０００９】
本明細書で開示される技術は、光源と、前記光源の光を利用して表示を行う表示パネルと、前記表示パネルに対してその表示面側とは反対側に重なるようにして配され、端面が前記光源と対向して配されるとともに、前記光源からの光を前記表示パネル側に導光する導光板であって、その端面に切り欠きが設けられた導光板と、前記導光板に対して前記表示パネル側と反対側に配されたシャーシと、前記表示パネルの前記表示面側に配され、前記シャーシとの間で前記表示パネルと前記光源と前記導光板とを挟み込む形で収容するフレームと、前記フレームに取り付けられ、前記切り欠き内に収容されて該切り欠きと嵌合されることで前記フレームと前記シャーシとの間で前記導光板を位置決めする位置決め部材と、前記位置決め部材と前記切り欠きとの間の隙間に配され、その一部が前記位置決め部材と共に前記フレームに取り付けられるとともに、前記光源からの光を遮光する遮光部材と、を備える表示装置に関する。
【００１０】
このような表示装置によれば、遮光部材が位置決め部材と切り欠きの間に配されているので、導光板内で導光される光が切り欠きの側面から漏れた場合であっても、当該遮光部材によってその漏れた光が遮光され、光が表示パネル側に届き難いものとすることができる。さらに、遮光部材がフレームに取り付けられているので、遮光部材が位置決め部材と切り欠きとの間の隙間から脱落することがない。このため、キャビネットを備えないタイプの表示装置において、導光板の位置決め構成を実現しながら、導光板内を導光する光が表示パネル側へ漏れることを防止ないし抑制することができる。
【００１１】
前記位置決め部材は少なくともその一部が弾性変形可能とされていてもよい。
この構成によると、温度変化や吸湿によって導光板が膨張した場合であっても、遮光部材が弾性変形するので、遮光部材による遮光機能が低下することがなく、導光板の膨張が規制されることもない。このため、品質上のリスクなく遮光部材を用いることができる。
【００１２】
前記遮光部材は中空とされるとともに、その筒軸が前記導光板の厚み方向に沿ったものとされた筒状をなしていてもよい。
この構成によると、筒状をなす遮光部材の外周面が切り欠きの側面と対向するため、導光板が膨張した場合に、切り欠きの側面が遮光部材の外周面と当接し、遮光部材の中空とされた側（筒軸側）に押圧されることとなる。このため、導光板が膨張した場合に遮光部材を弾性変形し易いものとすることができる。
【００１３】
前記遮光部材は、その筒軸の肉厚が０．２ｍｍとされていてもよい。
この構成によると、遮光部材の剛性を維持しながら中空とされた側に弾性変形し易いものとするための遮光部材の具体的な厚みを提供することができる。
【００１４】
前記遮光部材は、プラスチックによりなっていてもよい。
この構成によると、遮光部材を弾性変形可能なものとするための具体的な材料を提供することができる。
【００１５】
前記プラスチックは、ポリカーボネイトであってもよい。
この構成によると、遮光部材を弾性変形可能なものとするための最適なプラスチック材料を提供することができる。
【００１６】
前記遮光部材は、前記切り欠きと当接する部位が曲面とされていてもよい。
この構成によると、遮光部材の導光板と当接する部位が導光板によって押圧された場合であっても、遮光部材の当該部位が弾性的に変形することで潰れたり破損したりし難いものとすることができる。
【００１７】
前記遮光部材は、少なくとも前記曲面とされた部位が板ばねとされていてもよい。
この構成によると、遮光部材の導光板と当接する部位が導光板によって押圧された後、導光板が収縮した場合に、当該部位のばね性によって当該部位を元の形状に復帰させることができる。
【００１８】
前記遮光部材が前記切り欠きと位置決め部材との両者と当接していてもよい。
この構成によると、切り欠きと位置決め部材との間に設けられた隙間の大部分が遮光部材によって占められることとなるので、導光板から表示パネル側へ漏れる光を遮光部材によって効果的に遮光することができる。
【００１９】
前記遮光部材が黒色とされていてもよい。
この構成によると、遮光部材による遮光機能を効果的なものとすることができる。
【００２０】
前記遮光部材は、ビス留めによって前記位置決め部材と共に前記フレームに取り付けられていてもよい。
この構成によると、遮光部材を位置決め部材と共にフレームに取り付けるための具体的な構成を実現することができる。
【００２１】
本明細書で開示される技術では、上記表示パネルを、液晶を用いた液晶パネルとする表示装置も、新規で有用である。また、上記の表示装置を備えるテレビ受信装置も、新規で有用である。
【発明の効果】
【００２２】
本明細書で開示される技術によれば、キャビネットを備えないタイプの表示装置において、導光板の位置決め構成を実現しながら、導光板内を導光する光が表示パネル側へ漏れることを防止ないし抑制することができる。
【図面の簡単な説明】
【００２３】
【図１】実施形態１に係るテレビ受信装置ＴＶ及び液晶表示ユニットＬＤＵの概略構成を示す分解斜視図
【図２】テレビ受信装置ＴＶ及び液晶表示装置１０の背面図
【図３】液晶表示装置１０をなす液晶表示ユニットＬＤＵの概略構成を示す分解斜視図
【図４】液晶表示装置１０の短辺方向に沿った断面構成を示す断面図
【図５】液晶表示装置１０の長辺方向に沿った断面構成を示す断面図
【図６】図５における遮光部材３０の近傍を拡大した液晶表示装置１０の要部断面図
【図７】液晶表示装置１０における遮光部材３２の近傍を拡大した平面図
【図８】遮光部材３２の斜視図
【図９】圧縮してテープで固定した状態の遮光部材３２の斜視図
【図１０】圧縮してテープで固定した状態の遮光部材３２が収容された液晶表示装置１０における当該遮光部材３２の近傍を拡大した斜視図
【図１１】実施形態２に係る液晶表示装置１１０の長辺方向に沿った断面構成を示す断面図
【図１２】図１１における遮光部材１３２の近傍を拡大した液晶表示装置１１０の要部断面図
【図１３】液晶表示装置１１０における遮光部材１３２の近傍を拡大した平面図
【図１４】遮光部材１３２の斜視図
【図１５】実施形態３に係る液晶表示装置２１０の長辺方向に沿った断面構成を示す断面図
【発明を実施するための形態】
【００２４】
＜実施形態１＞
図１乃至図１０を参照して実施形態１を説明する。本実施形態では、液晶表示装置１０について例示する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２５】
テレビ受信装置ＴＶは、液晶表示ユニットＬＤＵと、液晶表示ユニットＬＤＵの裏面側（背面側）に取り付けられる各種基板ＰＷＢ，ＭＢ，ＣＴＢと、液晶表示ユニットＬＤＵの裏面側に各主基板ＰＷＢ，ＭＢ，ＣＴＢを覆う形で取り付けられるカバー部材ＣＶと、スタンドＳＴとを備えてなり、スタンドＳＴによって液晶表示ユニットＬＤＵの表示面を鉛直方向（Ｙ軸方向）に沿わせた状態で保持されている。本実施形態に係る液晶表示装置１０は、上記した構成のテレビ受信装置ＴＶから、少なくともテレビ信号を受信するための構成（メイン基板ＭＢのチューナー部など）を除いたものである。液晶表示ユニットＬＤＵは、図２に示すように、全体として横長の方形（矩形状、長手状）をなしており、表示パネルである液晶パネル１６と、外部光源であるバックライト装置２４とを備え、これらが液晶表示装置１０の外観と構成する外観部材であるフレーム１４及びシャーシ２２によって一体的に保持された構成となっている。なお、本実施形態に係るシャーシ２２は、外観部材の一部を構成するとともにバックライト装置２４の一部を構成している。
【００２６】
先に、液晶表示装置１０における裏面側の構成について説明する。液晶表示装置１０における裏側の外観を構成するシャーシ１４の裏面には、図２に示すように、Ｙ軸方向に沿って延在するスタンド取付部材ＳＴＡがＸ軸方向に離間した２位置に一対取り付けられている。これらスタンド取付部材ＳＴＡは、断面形状がシャーシ１４側の面が開口した略チャンネル型をなしており、シャーシ１４との間に保有される空間内にスタンドＳＴにおける一対の支柱部ＳＴｂが差し込まれるようになっている。なお、スタンド取付部材ＳＴＡ内の空間には、バックライト装置１２が有するＬＥＤ基板１８に接続された配線部材（電線など）が通されるようになっている。スタンドＳＴは、Ｘ軸方向及びＺ軸方向に並行する台座部ＳＴａと、台座部ＳＴａからＹ軸方向に沿って立ち上がる一対の支柱部ＳＴｂとからなる。カバー部材ＣＶは、合成樹脂製とされており、一対のスタンド取付部材ＳＴＡをＸ軸方向について横切りつつもシャーシ１４の裏面における図２に示す下側約半分程度を覆う形で取り付けられている。このカバー部材ＣＶとシャーシ１４との間には、次述する各種基板ＰＷＢ，ＭＢ，ＣＴＢなどの部品を収容可能な部品収容空間が保有されている。
【００２７】
各種基板ＰＷＢ，ＭＢ，ＣＴＢには、図２に示すように、電源基板ＰＷＢ、メイン基板ＭＢ及びコントロール基板ＣＴＢが含まれている。電源基板ＰＷＢは、当該液晶表示装置１０の電力供給原ともいえるものであり、他の各基板ＭＢ，ＣＴＢ及びバックライト装置１２が有するＬＥＤ１７などに駆動電力を供給することが可能とされる。従って、電源基板ＰＷＢが「ＬＥＤ１７を駆動するＬＥＤ駆動基板」を兼用しているといえる。メイン基板ＭＢは、テレビ信号を受信可能チューナー部と、受信したテレビ信号を画像処理する画像処理部（チューナー部共々図示せず）とを少なくとも有しており、処理した画像信号を次述するコントロール基板ＣＴＢへと出力可能とされる。なお、このメイン基板ＭＢは、当該液晶表示装置１０が図示しない外部の画像再生機器に接続されたときには、その画像再生機器からの画像信号が入力されるので、その画像信号を画像処理部にて処理してコントロール基板ＣＴＢへと出力可能とされる。コントロール基板ＣＴＢは、メイン基板から入力される画像信号を液晶駆動用の信号に変換し、その変換した液晶駆動用の信号を液晶パネル１６に供給する機能を有する。
【００２８】
液晶表示装置１０を構成する液晶表示ユニットＬＤＵは、図３に示すように、その主要な構成部品が、表側の外観を構成するフレーム１３と、裏側の外観を構成するシャーシ１４との間に保有される空間内に収容されてなるものとされる。フレーム１３及びシャーシ１４内に収容される主要な構成部品には、少なくとも、液晶パネル１１、光学部材１５、導光板１６及びＬＥＤユニット２０が含まれている。このうち、液晶パネル１１、光学部材１５及び導光板１６は、相互に積層された状態で、その表側のフレーム１３と裏側のシャーシ１４とによって挟み込まれる形で保持されるようになっている。バックライト装置１２は、光学部材１５、導光板１６、ＬＥＤユニットＬＵ及びシャーシ１４からなるものとされ、上記した液晶表示ユニットＬＤＵから液晶パネル１１及びフレーム１３を除いた構成とされる。バックライト装置１２をなすＬＥＤユニットＬＵは、フレーム１３及びシャーシ１４内において、導光板１６をその短辺方向（Ｙ軸方向）の両側方から挟み込む形で一対配されている。ＬＥＤユニットＬＵは、光源であるＬＥＤ１７と、ＬＥＤ１７が実装されるＬＥＤ基板１８と、ＬＥＤ基板１８が取り付けられる放熱部材（ヒートスプレッダ、光源取付部材）１９とからなる。以下、各構成部品について説明する。
【００２９】
液晶パネル１１は、図３に示すように、平面に視て横長の方形（矩形状、長手状）をなしており、透光性に優れた一対のガラス製の基板１１ａ，１１ｂ（図４参照）が所定のギャップを隔てた状態で貼り合わせられるとともに、両基板１１ａ，１１ｂ間に液晶が封入された構成とされる。一方の基板（アレイ基板）１１ｂには、互いに直交するソース配線とゲート配線とに接続されたスイッチング素子（例えばＴＦＴ）と、そのスイッチング素子に接続された画素電極、さらには配向膜等が設けられ、他方の基板（ＣＦ基板）１１ａには、Ｒ（赤色），Ｇ（緑色），Ｂ（青色）等の各着色部が所定配列で配置されたカラーフィルタや対向電極、さらには配向膜等が設けられている。この液晶パネル１１は、次述する光学部材１５の表側に積層する形で載せられており、その裏側の面（裏側の偏光板の外面）が光学部材１５に対して殆ど隙間無く密着している。これにより、液晶パネル１１と光学部材１５との間に塵埃などが浸入するのが防止されている。液晶パネル１１における表示面１１ｃは、画面中央側にあって画像が表示可能な表示領域と、画面外周端側にあって表示領域の周りを取り囲む枠状（額縁状）をなる非表示領域とからなる。この液晶パネル１１は、液晶駆動用のドライバ部品やフレキシブル基板２６を介してコントロール基板ＣＴＢが接続されており、コントロール基板ＣＴＢから入力される信号に基づいてその表示面１１ｃにおける表示領域に画像が表示されるようになっている。なお、両基板１１ａ，１１ｂの外側にはそれぞれ偏光板（図示は省略する）が配されている。
【００３０】
光学部材１５は、図３に示すように、液晶パネル１１と同様に平面に視て横長の方形状をなしており、その大きさ（短辺寸法及び長辺寸法）が液晶パネル１１と同等とされる。光学部材１５は、後述する導光板１６の表側（光出射側）に積層する形で載せられていて上記した液晶パネル１１と導光板１６との間に挟み込まれた状態で配されている。光学部材１５は、いずれもシート状をなすとともに３枚が相互に積層して配されている。具体的には、裏側（導光板１６側）から順に、拡散シート１５ａ、レンズシート（プリズムシート）１５ｂ、及び反射型偏光シート１５ｃからなるものとされる。なお、３枚の各シート１５ａ，１５ｂ，１５ｃは、平面に視た大きさがほぼ同じ程度とされている。
【００３１】
導光板１６は、屈折率が空気よりも十分に高く且つほぼ透明な（透光性に優れた）合成樹脂材料（例えばＰＭＭＡなどのアクリル樹脂やポリカーボネイトなど）からなる。導光板１６は、図３に示すように、液晶パネル１１及び光学部材１５と同様に平面に視て横長の方形状をなすとともに光学部材１５よりも厚みが大きな板状をなしており、その主面における長辺方向がＸ軸方向と、短辺方向がＹ軸方向とそれぞれ一致し、且つ主面と直交する板厚方向がＺ軸方向と一致している。導光板１６は、光学部材１５の裏側に積層していて光学部材１５とシャーシ１４との間に挟み込まれるよう配されている。導光板１６は、図４に示すように、少なくともその短辺寸法が、液晶パネル１１及び光学部材１５の各短辺方向寸法よりも大きくなっており、短辺方向についての両端部（長辺方向に沿った両端部）が液晶パネル１１及び光学部材１５における両端部よりも外向きに突き出して（平面に視て非重畳となるよう）配されている。この導光板１６は、その短辺方向の両側方に配された一対のＬＥＤユニットＬＵによってＹ軸方向について挟み込まれる形で配されており、短辺方向についての両端部にＬＥＤ１７からの光がそれぞれ導入されるようになっている。そして、この導光板１６は、その短辺方向についての両端部から導入したＬＥＤ１７からの光を内部で伝搬させつつ光学部材１５側（表側）に向くよう立ち上げて出射させる機能を有する。
【００３２】
この導光板１６の主面のうち、表側を向いた面（光学部材１５との対向面）が内部の光を光学部材１５及び液晶パネル１１に向けて出射させる光出射面１６ａとなっている。導光板１６における主面に対して隣り合う外周端面のうち、Ｘ軸方向に沿って長手状をなす長辺側の両端面（短辺方向についての両端部が有する両端面）は、それぞれＬＥＤ１７（ＬＥＤ基板１８）と所定の空間を空けて正対する形で対向状をなしており、これらがＬＥＤ１７から発せられた光が入射される一対の光入射面１６ｂとなっている。導光板１６における裏側、つまり光出射面１６ａとは反対側の反対面（シャーシ１４との対向面）１６ｃには、図４に示すように、反射シート２０がそのほぼ全域を覆う形で設けられている。
【００３３】
反射シート２０は、シャーシ１４と導光板１６との間に挟み込まれた形で配されており、導光板１６の反対面１６ｃから裏側外部に出射した光を反射して表側へ立ち上げることが可能となっている。この反射シート２０は、合成樹脂製とされ、表面が光の反射性に優れた白色を呈するものとされる。反射シート２０は、その短辺寸法が導光板１６の短辺寸法よりも大きくなっており、その両端部が導光板１６の光入射面１６ｂよりもＬＥＤ１７寄りに突出して配されている。この反射シート２０における突出部位によってＬＥＤ１７からシャーシ１４側に向けて斜めに進行する光を効率的に反射して、導光板１６の光入射面１６ｂへと向かわせることが可能とされている。
【００３４】
導光板１６の短辺側における両端面には、その短辺方向（Ｙ軸方向）の中央部に、導光板１６の厚み方向（Ｚ軸方向）に沿って当該導光板１６の板面を貫通するとともに当該導光板１６の外側に向かって平面視凹状に開口する切り欠き１６ｓがそれぞれ設けられている。この切り欠き１６ｓは、導光板１６の端面に対して直角に凹んでなる形状とされている。従って、切り欠き１６ｓは三つの側面から構成されており、当該切り欠き１６ｓを構成する各側面は、導光板１６の厚み方向に沿ったものとされている。また、各切り欠き１６ｓと平面に視て重畳する反射シート２０の部位にも切り欠き１６ｓと同じ形状の反射シート側切り欠き（図示せず）がそれぞれ設けられている。
【００３５】
次に、ＬＥＤユニットＬＵを構成するＬＥＤ１７、ＬＥＤ基板１８及び放熱部材１９の構成について順次に説明する。ＬＥＤユニットＬＵを構成するＬＥＤ１７は、ＬＥＤ基板１８に固着される基板部上にＬＥＤチップ（図示せず）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いたりすることができる。このＬＥＤ１７は、ＬＥＤ基板１８に対する実装面とは反対側の面（導光板１６の光入射面１６ｂと正対する対向面）が主発光面となる、いわゆる頂面発光型とされている。
【００３６】
ＬＥＤユニットＬＵを構成する放熱部材１９は、例えばアルミニウムなどの熱伝導性に優れた金属製とされ、図３及び図４に示すように、ＬＥＤ基板１８が取り付けられるＬＥＤ取付部１９ａと、シャーシ１４の板面に面接触される放熱部１９ｂとを備え、これらが断面略Ｌ字型の屈曲形状をなしている。放熱部材１９は、その長さ寸法が上記したＬＥＤ基板１８の長さ寸法とほぼ同じ程度の大きさとされている。放熱部材１９を構成するＬＥＤ取付部１９ａは、ＬＥＤ基板１８の板面及び導光板１６の光入射面１６ｂに並行する板状をなしており、その長辺方向がＸ軸方向と、短辺方向がＺ軸方向と、厚さ方向がＹ軸方向とそれぞれ一致している。ＬＥＤ取付部１９ａのうち内側の板面、つまり導光板１６側を向いた板面には、ＬＥＤ基板１８が取り付けられている。ＬＥＤ取付部１９ａは、その長辺寸法がＬＥＤ基板１８の長辺寸法と概ね同等とされるものの、短辺寸法がＬＥＤ基板１８の短辺寸法よりも大きくなっている。その上で、ＬＥＤ取付部１９ａにおける短辺方向の両端部は、ＬＥＤ基板１８の両端部からＺ軸方向に沿って外向きに突出している。ＬＥＤ取付部１９ａのうち外側の板面、つまりＬＥＤ基板１８が取り付けられる板面とは反対側の板面は、後述するフレーム１３が有するネジ取付部２１と対向状をなしている。つまり、ＬＥＤ取付部１９ａは、フレーム１３のネジ取付部２１と導光板１６との間に介在する形で配されている。ＬＥＤ取付部１９ａは、次述する放熱部１９ｂにおける内側の端部、つまりＬＥＤ１７（導光板１６）側の端部からＺ軸方向（液晶パネル１１、光学部材１５及び導光板１６の重なり方向）に沿って表側、つまりフレーム１３側に向けて立ち上がる形態とされている。
【００３７】
放熱部１９ｂは、図３及び図４に示すように、シャーシ１４の板面に並行する板状をなしており、その長辺方向がＸ軸方向と、短辺方向がＹ軸方向と、厚さ方向がＺ軸方向とそれぞれ一致している。放熱部１９ｂは、ＬＥＤ取付部１９ａにおける裏側の端部、つまりシャーシ１４側の端部からＹ軸方向に沿って外側、つまり導光板１６側とは反対側に向けて突出する形態とされている。放熱部１９ｂは、その長辺寸法がＬＥＤ取付部１９ａとほぼ同じとされる。放熱部１９ｂのうち裏側の板面、つまりシャーシ１４側を向いた板面は、その全域がシャーシ１４の板面に対して面接触されている。その上で、放熱部１９ｂのうち表側の板面、つまりシャーシ１４に対する接触面とは反対側の板面は、後述するフレーム１３が有するネジ取付部２１と対向状をなすとともにネジ取付部２１の突出端面に対して接触されている。つまり、放熱部１９ｂは、フレーム１３のネジ取付部２１とシャーシ１４との間に挟み込まれる（介在する）形で配されている。これにより、ＬＥＤ１７の点灯に伴って生じた熱は、ＬＥＤ基板１８、ＬＥＤ取付部１９ａ及び放熱部１９ｂを介して、シャーシ１４及びネジ取付部２１を有するフレーム１３へと伝達されることで、液晶表示装置１０の外部へと効率的に放散されるようになっていて内部にこもり難くなっている。そして、この放熱部１９ｂは、ネジ取付部２１に対して第１ネジ部材ＳＭ１によって取り付け状態に保持されるようになっており、その第１ネジ部材ＳＭ１を通すための挿通孔を有している。
【００３８】
続いて、外観部材及び保持部材ＨＭをなすフレーム１３及びシャーシ１４の構成について説明する。フレーム１３及びシャーシ１４は、いずれも例えばアルミニウムなどの金属製とされており、仮に合成樹脂製とした場合に比べると、機械的強度（剛性）及び熱伝導性がいずれも高くなっている。これらフレーム１３及びシャーシ１４は、図３に示すように、その短辺方向についての両端部（両長辺側端部）に対をなすＬＥＤユニットＬＵをそれぞれ収容しつつも、互いに積層配置された液晶パネル１１、光学部材１５及び導光板１６を表側と裏側とから挟み込む形で収容するものとされる。
【００３９】
フレーム１３は、図３に示すように、液晶パネル１１の表示面１１ｃにおける表示領域を取り囲むよう、全体として横長の枠状をなしている。フレーム１３は、液晶パネル１１の表示面１１ｃに並行するとともに液晶パネル１１を表側から押さえるパネル押さえ部１３ａと、パネル押さえ部１３ａの外周側部分から裏側に向けて突出する側壁部１３ｂとからなり、断面形状が略Ｌ字型となっている。このうち、パネル押さえ部１３ａは、液晶パネル１１の外周側部分（非表示領域、額縁部分）に倣って横長の枠状をなすとともに液晶パネル１１の外周側部分をほぼ全周にわたって表側から押さえることが可能とされる。パネル押さえ部１３ａは、液晶パネル１１の外周側部分に加えて、液晶パネル１１の外周側部分よりも放射方向について外側に配される光学部材１５及び導光板１６の外周側部分、及び各ＬＥＤユニットＬＵをも表側から覆うことが可能な幅を有している。パネル押さえ部１３ａのうち表側を向いた外面（液晶パネル１１に対する対向面とは反対側の面）は、液晶パネル１１の表示面１１ｃと同じく液晶表示装置１０における表側外部に露出しており、液晶パネル１１の表示面１１ｃと共に液晶表示装置１０の正面を構成している。一方、側壁部１３ｂは、パネル押さえ部１３ａにおける外周側部分（詳しくは外周端部）から裏側に向けて突出する略角筒状をなしている。側壁部１３ｂは、内部に収容される液晶パネル１１、光学部材１５、導光板１６及び各ＬＥＤユニットＬＵを全周にわたって取り囲むとともに、裏側のシャーシ１４をもほぼ全周にわたって取り囲むことが可能とされる。側壁部１３ｂは、液晶表示装置１０における周方向に沿った外面が、液晶表示装置１０における周方向外部に露出しており、液晶表示装置１０における天面、底面、両側面を構成している。
【００４０】
フレーム１３の両短辺側における突出部２１の内側の面（導光板１６の短辺側の両端面と向かい合う側の面）には、図５及び図６に示すように、その中央近傍において導光板１６に設けられた切り欠き１６ｓと対応する位置に、それぞれ断面視矩形状をなす金属製の位置決め部材３０が取り付けられている。位置決め部材３０は、断面視矩形状をなすようなブロック状、詳しくは液晶表示装置１０の表側と裏側に向かって開口する略角筒型の略箱型状とされており、導光板１６の端面に設けられた切り欠き１６ｓとの間に隙間を設けた状態で当該切り欠き１６ｓ内に収容されている。位置決め部材３０は、後述する遮光部材３２と共に第２ネジ部材ＳＭ２によってネジ留めされており、切り欠き１６ｓ内に収容された状態で導光板１６と嵌合されている。このように位置決め部材３０が導光板１６と嵌合されることによって、フレーム１３とシャーシ１４の間において、導光板１６がその板面方向（Ｘ−Ｙ平面方向）に位置決めされている。なお、位置決め部材３０の裏側の面には位置決め部材３０をその表裏方向（Ｚ軸方向）に貫通するネジ留め孔が設けられており、位置決め部材３０を後述する遮光部材３２と共にフレーム１３に取り付けることが可能となっている。
【００４１】
パネル押さえ部１３ａにおける側壁部１３ｂよりも内寄り（導光板１６寄り）の位置には、図４及び図５に示すように、第１ネジ部材ＳＭ１が取り付けられるネジ取付部２１が一体形成されている。ネジ取付部２１は、パネル押さえ部１３ａの内面からＺ軸方向に沿って裏側に向けて突出するとともに、パネル押さえ部１３ａの各辺（Ｘ軸方向またはＹ軸方向）に沿って延在する横長な略ブロック状をなしている。ネジ取付部２１には、図４に示すように、裏側に向けて開口するとともに第１ネジ部材ＳＭ１を締め付けることが可能な溝部２１ａが形成されている。長辺側の一対のネジ取付部２１とＬＥＤ取付部１９ａとの間には、図４に示すように、所定の間隔が設けられている。そして、一対の放熱部材１９のうち、フレキシブル基板２６と平面に視て重畳する位置関係にある放熱部材１９と、その放熱部材１９が取り付けられるネジ取付部２１との間には、図４に示すように、プリント基板２７を収容可能な空間が設けられている。プリント基板２７には、その長辺方向に沿って複数のフレキシブル基板２６が間欠的に並んで配されるとともにその他方側の端部がそれぞれ接続されている。このプリント基板２７は、ＦＰＣの一端側が差し込まれて接続されるコネクタ部（ＦＰＣ共々図示せず）を有しており、このＦＰＣの他端側がシャーシ１４に形成されたＦＰＣ挿通孔（図示せず）を通してシャーシ１４の裏側外部に引き出されるとともにコントロール基板ＣＴＢに接続されている。
【００４２】
シャーシ１４は、図３に示すように、導光板１６及びＬＥＤユニットＬＵなどを裏側からほぼ全域にわたって覆うよう、全体として横長な略浅皿状をなしている。このシャーシ１４のうち裏側を向いた外面（導光板１６及びＬＥＤユニットＬＵに対する対向面とは反対側の面）は、液晶表示装置１０における裏側外部に露出していて液晶表示装置１０の背面を構成している。シャーシ１４は、導光板１６と同様に横長の方形状をなす底板部１４ａと、底板部１４ａにおける両長辺側端部からそれぞれ裏側に段差状に突出するとともにＬＥＤユニットＬＵを収容する一対のＬＥＤ収容部１４ｂとを有している。
【００４３】
底板部１４ａは、図３及び図４に示すように、導光板１６における短辺方向についての中央側の大部分（短辺方向についての両先端部分を除いた部分）を裏側から受けることが可能な平板状をなしており、導光板１６に対する受け部を構成していると言える。底板部１４ａのうち、その長辺方向についての両端側部分は、図５に示すように、導光板１６の長辺方向についての両端部よりも外側にそれぞれ延出するとともに、フレーム１３とシャーシ１４とを組み付け状態に固定するための第１ネジ部材ＳＭ１が外部から装着される一対のネジ装着部１４ａ１とされている。
【００４４】
ＬＥＤ収容部１４ｂは、図３及び図４に示すように、底板部１４ａをその短辺方向の両側から挟み込む形で配されるとともに、底板部１４ａよりも一段裏側に引っ込むことで、ＬＥＤユニットＬＵを収容可能とされる。ＬＥＤ収容部１４ｂは、底板部１４ａに並行するとともに第１ネジ部材ＳＭ１が外部から装着されるネジ装着部１４ｂ１と、ネジ装着部１４ｂ１の両端部から表側に向けてそれぞれ立ち上がる一対の側板部１４ｂ２とから構成され、一対の側板部１４ｂ２のうちの内側の側板部１４ｂ２が底板部１４ａに連なっている。そして、ＬＥＤ収容部１４ｂにおけるネジ装着部１４ｂ１には、その内面に対してＬＥＤユニットＬＵを構成する放熱部材１９の放熱部１９ｂが面接触された状態で配されている。また、ＬＥＤ収容部１４ｂにおける外側の側板部１４ｂ２は、長辺側のネジ取付部２１と側壁部１３ｂとの間に有される隙間に挿入されることで、シャーシ１４をフレーム１３に対してＹ軸方向について位置決めする機能を有している。
【００４５】
続いて本実施形態の要部である、遮光部材３２の構成について説明する。遮光部材３２は、上述した位置決め部材３０と導光板１６の切り欠き１６ｓとの間に設けられた隙間に収容されている。遮光部材３２は、図８に示すように、中空とされた中空部位３２ｓを有しており、その筒軸が導光板１６の厚み方向（Ｚ軸方向）に沿って延びる（図６参照）とともに、その筒口が平面視において略長方形状とされた（図７参照）筒状をなす筒状部３２ｂと、その筒状部３２ｂにおいて一方の端口の一部から当該筒状部３２ｂの外側（位置決め部材３０側）に向かって延出する延出部３２ａと、から構成されている。遮光部材３２は、プラスチック、具体的にはポリカーボネイトで形成されており、弾性変形可能となっている。また、遮光部材３２は、光の遮光性に優れた黒色とされている。なお、本実施形態において、遮光部材３２における筒状部３２ｂの肉厚は０．２ｍｍとされている。このような厚みとされていれば、遮光部材３２の剛性を維持しながら、弾性変形し易いものとすることができる。
【００４６】
遮光部材３２の筒状部３２ｂは、図６及び図７に示すように、位置決め部材３２の内側に向けられた側面と当該側面と対向する導光板１６の切り欠き１６ｓの側面とにそれぞれ当接した状態で、位置決め部材３２と導光板１６の切り欠き１６ｓとの間に収容される。また、筒状部３２ｂはその開口が略長方形状となっていることから、遮光部材３２が収容された状態では、切り欠き１６ｓの他の側面とも近接し、図７に示すように、位置決め部材３０と切り欠き１６ｓとの間の隙間の大部分が遮光部材３２によって占められるものとなる。
【００４７】
遮光部材３２の延出部３２ａは、導光板１６の板面方向（Ｘ−Ｙ平面方向）に沿って筒状部３２ｂから略正方形のシート状をなすように延びている。また、延出部３２ａは、位置決め部材３０の裏側の面より一回り大きなものとされている（図７参照）。延出部３２ａの中央には、開口が円形とされた貫通孔３２ｔが設けられており、位置決め部材３０の裏側の面に設けられたビス留め孔とほぼ同じ大きさとされている。この貫通孔３２ｔを位置決め部材のビス留め孔と重ね合わせることにより、裏面側から視た時（図７参照）に位置決め部材３０の裏側の面を遮光部材３２の延出部３２ａが覆うものとされ、この状態において、貫通孔３２ｔに第２ネジ部材ＳＭ２を通すことにより、位置決め部材３０と遮光部材３２とをフレーム１３に対して共締めすることができる。これにより、遮光部材３２を位置決め部材３０（フレーム１３）に対して取り付けることができる。このように遮光部材３２の一部が位置決め部材３０に取り付けられることにより、遮光部材３２が位置決め部材３０と切り欠き１６ｓとの間の隙間から脱落することを防止することができる。
【００４８】
上記のような構成とされた遮光部材３２は、筒状部３２ｂの一方の側面を中空部位３２ｓ側へ凹ませた状態に弾性変形させることができる。即ち、図９に示すように、筒状部３２ｂの延出部３２ａが延びる側の側面を中空部位３２ｓ側（図９におけるＸ軸方向の手前側）へ凹ませ、筒状部３２ｂの側面と延出部３２ａの面をテープ３４で固定することにより、遮光部材３２を弾性変形された形状で維持させることができる。また、この状態において延出部３２ａは弾性変形されていないので、図９に示すように弾性変形された形状の遮光部材３２を位置決め部材３０に取り付けることもできる。
【００４９】
ここで、液晶表示装置１０の製造工程では、液晶表示装置１０における表面側（図４における上側）から順に部材が組み付けられて液晶表示装置１０が製造される。具体的には、フレーム１３に位置決め部材３０が取り付けられた後、導光板１６に設けられた切り欠き１６ｓを位置決め部材３０と嵌合させた状態でフレーム１３内に導光板１６が組み付けられ、その後にシャーシ１４が組み付けられる。導光板１６に設けられた切り欠き１６ｓは導光板１６の短辺方向の両側面にそれぞれ設けられているため、導光板１６の切り欠き１６ｓが位置決め部材３０と嵌合される際には、導光板１６がいずれか一方の切り欠き１６ｓ側へ偏った状態で両切り欠き１６ｓが両位置決め部材３０と嵌合されることがある。このため、弾性変形していない状態の遮光部材３２を位置決め部材３０と切り欠き１６ｓとの間の隙間に収容させようとしても、遮光部材３２を収容するための十分な隙間がない場合があり、この場合、遮光部材３２を収容することが困難となってしまう。この点、遮光部材３２が予め上記のように弾性変形された状態とされていれば、遮光部材３２の厚みが小さくなるので、位置決め部材３０と切り欠き１６ｓとの間の隙間が十分な大きさでない場合であっても、図１０に示すように、遮光部材３２と切り欠き１６ｓとの間に所定の距離Ｓを設けながら、遮光部材３２を容易に収容することができる。その後、遮光部材３２の延出部３２ａを位置決め部材３０に取り付け、遮光部材３２からテープ３４を剥離させて遮光部材３２を弾性復帰させることで、遮光部材３２を位置決め部材３０と切り欠き１６ｓとの間に隙間なく収容されたものとすることができる（図７に示す状態）。
【００５０】
さて、上記のような遮光部材３２が位置決め部材３０と切り欠き１６ｓとの間の隙間に収容されることにより、導光板１６の切り欠き１６ｓから漏れた光は遮光部材３２の筒状部３２ｂ側に向かい、当該筒状部３２ｂによって遮光されることとなる。このため、導光板１６の切り欠き１６ｓから漏れた光が液晶パネル１１側へ向かうことを防止ないし抑制することができる。また、温度変化等により導光板１６が膨張、収縮した場合であっても、導光板１６の変形に伴って遮光部材３２が弾性変形するため、遮光部材３２と切り欠き１６ｓとの間に隙間が生じることがなく、また、導光板１６の膨張によって遮光部材３２が破損することもないので、遮光部材３２による遮光機能を維持することができる。
【００５１】
以上のように本実施形態に係る液晶表示装置１０では、遮光部材３２が位置決め部材３０と切り欠き１６ｓの間に配されているので、導光板１６内で導光される光が切り欠き１６ｓの側面から漏れた場合であっても、当該遮光部材３２によってその漏れた光が遮光され、光が液晶パネル１１側に届き難いものとすることができる。さらに、遮光部材３２が位置決め部材３０を介してフレーム１３に取り付けられているので、遮光部材３２が位置決め部材３０と切り欠き１６ｓとの間の隙間から脱落することがない。このため、キャビネットを備えないタイプの液晶表示装置１０において、導光板１６の位置決め構成を実現しながら、導光板１６内を導光する光が液晶パネル１１側へ漏れることを防止ないし抑制することができる。
【００５２】
また、本実施形態に係る液晶表示装置１０では、位置決め部材３０が弾性変形可能とされている。この構成によると、温度変化や吸湿によって導光板１６が膨張した場合であっても、遮光部材３２が弾性変形するので、遮光部材３２による遮光機能が低下することがなく、導光板１６の膨張が規制されることもない。このため、品質上のリスクなく遮光部材３２を用いることができる。
【００５３】
また、本実施形態に係る液晶表示装置１０では、遮光部材３２が中空とされるとともに、その筒軸が導光板１６の厚み方向（Ｚ軸方向）に沿ったものとされた筒状をなす筒状部３２ｂを有している。これにより、遮光部材３２における筒状部３２ｂの外周面が切り欠き１６ｓの側面と対向し、導光板１６が膨張した場合に、切り欠き１６ｓの側面が遮光部材３２の外周面と当接して、遮光部材３２の中空部位３２Ｓ側（筒軸側）に押圧されることとなる。このため、導光板１６が膨張した場合に遮光部材３２を弾性変形し易いものとすることができる。
【００５４】
また、本実施形態に係る液晶表示装置１０では、遮光部材３２が切り欠き１６ｓと位置決め部材３０との両者と当接するものとされている。これにより、切り欠き１６ｓと位置決め部材３０との間に設けられた隙間の大部分が遮光部材３２によって占められることとなるので、導光板１６から液晶パネル１１側へ漏れる光を遮光部材３２によって効果的に遮光することができる。
【００５５】
なお、本実施形態に係る液晶表示装置１０では、位置決め部材３０と導光板１６の切り欠き１６ｓとの間の隙間が狭いものであっても、遮光部材３２を弾性変形させることによってその隙間に遮光部材３２を収容させることができるので、位置決め部材３０と導光板１６の切り欠き１６ｓとの間を近接させることができ、これによって液晶表示装置の狭額化を図ることができる。また、導光板１６等が膨張や伸縮をした場合であっても、遮光部材３２が弾性変形することで遮光機能を維持させることができるので、光学シートの延長部分等によって光を遮る構成とする場合と比べて、導光板１６内を導光する光の遮光機能について信頼性に優れたものとなっている。
【００５６】
＜実施形態２＞
図面を参照して実施形態２を説明する。実施形態２は、遮光部材１３２の構成が実施形態１のものと異なっている。その他の構成については実施形態１のものと同様であるため、構造、作用、及び効果の説明は省略する。なお、図１１及び図１２において、それぞれ図５及び図６の参照符号に数字１００を加えた部位は、実施形態１で説明した部位と同一である。
【００５７】
実施形態２に係る液晶表示装置１１０では、図１４に示すように、遮光部材１３２が、位置決め部材１３２の裏側の面と当接するシート状の当接部１３２ａと、遮光部材１３２の側壁をなし、当接部１３２ａと直交するように当接部１３２ａの端部から延びる第１側壁部１３２ｂと、第２側壁部１３２ｄと、第１側壁部１３２ｂの導光板１１６の切り欠き１１６ｓ側に向けられる端部に設けられ、内側に向かって丸められた形状をなすロール部１３２ｃと、から構成されている。遮光部材１３２において、第１側壁部１３２ｂ及びロール部１３２ｃは板ばねで形成されており、当接部１３２ａ及び第２側壁部１３２ｄはポリカーボネイトで形成されている。また、遮光部材１３２は、光の遮光性に優れた黒色とされている。
【００５８】
遮光部材１３２の当接部１３２ａは、導光板１１６の板面方向（Ｘ−Ｙ平面方向）に沿ってシート状に設けられており、位置決め部材１３０の裏側の面より大きなものとされている（図１３参照）。当接部１３２ａの中央には、開口が円形とされた貫通孔１３２ｔが設けられており、位置決め部材１３０の裏側の面に設けられたネジ留め孔とほぼ同じ大きさとされている。この貫通孔１３２ｔを位置決め部材１３０のネジ留め孔と重ね合わせることにより、裏面側から視た時（図７参照）に位置決め部材の裏側の面を遮光部材１３２の延出部１３２ａが覆うものとされ、この状態において、貫通孔１３２ｔにネジを通すことにより、位置決め部材１３０と遮光部材１３２とをフレーム１１３に対して共締めすることができる。これにより、遮光部材１３２を位置決め部材１３０（フレーム１１３）に対して取り付けることができる。遮光部材１３２が位置決め部材１３０に取り付けられた状態では、遮光部材１３２の第１側壁部１３２ｂと第２側壁部１３２ｄとによって位置決め部材１３０が囲まれる形となる。
【００５９】
遮光部材１３２は、図１２及び図１３に示すように、そのロール部１３２ｃの一部が導光板１１６の切り欠き１１６ｓの側面に当接した状態で、位置決め部材１３２と導光板１１６の切り欠き１１６ｓとの間に収容される。従って、遮光部材１３２は切り欠き１１６ｓの側面と曲面で当接するものとされている。ここで、ロール部１３２ｃは板ばねとされているので、導光板１１６が温度変化や吸湿等によって膨張した場合には、ロール部１３２ｃのばね性によって遮光部材１３２が変形することなくロール部１３２ｃと切り欠き１１６ｓとが当接した状態が維持され、また導光板１１６が収縮した場合には、ロール部１３２ｃが切り欠き１１６ｓの側面から離間して当該ロール部１３２ｃが弾性復帰することによって、遮光部材１３２の形状が維持されるものとなる。
【００６０】
以上のように実施形態２に係る遮光部材１３２は、導光板が変形した場合であっても、遮光部材１３２が弾性変形することで導光板１１６の変形を規制することがないため、品質上のリスクが少ないものとなっており、液晶表示装置１１０では、位置決め部材１３０によって導光板１１６の位置決め構成を実現しながら、導光板１１６内を導光する光が液晶パネル１１１側へ漏れることを防止ないし抑制することができる。
【００６１】
＜実施形態３＞
図面を参照して実施形態３を説明する。実施形態３は、フレーム２１３の一部に導光板２１６と当接する当接リブ２２３が設けられている点で実施形態１のものと異なっている。その他の構成については実施形態１のものと同様であるため、構造、作用、及び効果の説明は省略する。なお、図１５において、それぞれ図５の参照符号に数字２００を加えた部位は、実施形態１で説明した部位と同一である。
【００６２】
実施形態３に係る液晶表示装置２１０では、図１５に示すように、パネル押さえ部２１３ａのうち、突出部２２１よりも内寄りの位置に、導光板２１６を表側（表示面２１１ｃ側）から支持する当接リブ２２３が一体形成されている。当接リブ２２３は、パネル押さえ部２１３ａの内面からＺ軸方向（突出部２２１の突出方向）に沿って裏側（導光板２１６側）に向けてそれぞれ突出するとともに、パネル押さえ部２１３ａの各辺に沿って延在する細長い略ブロック状をなしている。当接リブ２２３は、パネル押さえ部２１３ａにおける各辺にそれぞれ設けられるとともにそれぞれが各辺の全長にわたる長さ寸法を有している。従って、当接リブ２２３は、シャーシ２１４との間で導光板２１６を挟み込んだ状態で表側（表示面２１１ｃ側）から支持することが可能とされ、導光板支持機能を有している。導光板２１６は、その端側部分が全周にわたって枠状をなす当接リブ２２３によって表側から押さえられることになる。
【００６３】
上記のような当接リブ２２３が設けられていることで導光板２１６の切り欠き２１６ｓと液晶パネルとの間の大部分が当該当接リブ２２３によって遮られることとなるので、液晶表示装置２１０では、当接リブ２２３が設けられていない構成のものと比べて、導光板２１６の切り欠き２１６ｓから漏れた光が液晶パネル２１１側へ届き難いものとされている。このため、当接リブ２２３と遮光部材２３２とによって導光板２１６内を導光する光が液晶パネル２１１側へ漏れることを効果的に防止ないし抑制することができる。
【００６４】
上記の各実施形態の変形例を以下に列挙する。
（１）上記の各実施形態では、遮光部材が位置決め部材の裏側の面と当接した状態で位置決め部材に取り付けられる構成を例示したが、遮光部材が取り付けられる位置決め部材の部位は限定されない。
【００６５】
（２）上記の各実施形態では、位置決め部材と遮光部材とがネジ留めによってフレームに共締めされた構成を例示したが、位置決め部材及び遮光部材の取付態様については限定されない。
【００６６】
（３）上記の各実施形態では、遮光部材の全体が弾性変形可能とされた構成を例示したが、遮光部材の少なくとも一部が弾性変形可能であってもよい。または、弾性変形不能であってもよい。この場合、遮光部材と切り欠きとの間に導光板の膨張に対応し得る隙間が設けられることが好ましい。
【００６７】
（４）上記の各実施形態以外にも、遮光部材の構成、形状、材料等については、適宜に変更可能である。
【００６８】
（５）上記の各実施形態では、表示パネルとして液晶パネルを用いた液晶表示装置を例示したが、他の種類の表示パネルを用いた表示装置にも本発明は適用可能である。
【００６９】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００７０】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７１】
ＴＶ…テレビ受信装置、ＬＤＵ…液晶表示ユニット、ＰＷＢ…電源基板、ＭＢ…メイン基板、ＣＴＢ…コントロール基板、ＣＶ…カバー部材、ＳＴ…スタンド、ＬＵ…ＬＥＤユニット、１０、１１０、２１０…液晶表示装置、１１、１１１、２１１…液晶パネル、１２、１１２、２１２…バックライト装置、１３、１１３、２１３…フレーム、１４、１１４、２１４…シャーシ、１５、１１５、２１５…光学部材、１６、１１６、２１６…導光板、１６ｓ、１１６ｓ、２１６ｓ…切り欠き、２０、１２０、２２０…反射シート、３０、１３０、２３０…位置決め部材、３２、１３２、２３２…遮光部材、３４…テープ、２２３…当接リブ
【図１】
0005677996.tif 000002
【図２】
0005677996.tif 000003
【図３】
0005677996.tif 000004
【図４】
0005677996.tif 000005
【図５】
0005677996.tif 000006
【図６】
0005677996.tif 000007
【図７】
0005677996.tif 000008
【図８】
0005677996.tif 000009
【図９】
0005677996.tif 000010
【図１０】
0005677996.tif 000011
【図１１】
0005677996.tif 000012
【図１２】
0005677996.tif 000013
【図１３】
0005677996.tif 000014
【図１４】
0005677996.tif 000015
【図１５】
0005677996.tif 000016